(57)【要約】      （修正有）【課題】  ＡＣコードタイプのＡＣアダプタにおいて、インレットプラグタイプのＡＣアダプタのハーフケースを使用可能とするＡＣアダプタを提供する。【解決手段】  ＡＣコード保持用スペーサ６０を有し、インレットプラグタイプのＡＣアダプタに使用している下側ハーフケース３２と上側ハーフケース３３とを組み合わせてなるケースを有する。ＡＣコード１１のブッシュ部１２がＡＣコード保持用スペーサ６０に嵌合してあり、ＡＣコード保持用スペーサ６０が下側ハーフケース３２と上側ハーフケース３３とが形成する開口内に固定されて収まっている。開口はインレットプラグ４０の端面４５のサイズに対応する大きさである。【選択図】  図２
2007012465.tif 000002
【特許請求の範囲】
【請求項１】
下側ハーフケースと上側ハーフケースとを組み合わせてケースを構成するＡＣアダプタにおいて、
前記下側ハーフケースは、その側板部に第１の凹部を有する形状であり、
前記上側ハーフケースは、その側板部に第２の凹部を有する形状であり、
前記下側ハーフケースと前記上側ハーフケースとが組み合わされた状態で、前記第１の凹部と前記第２の凹部とが対向して開口を形成し、
外形が前記開口に対応した大きさであり、ＡＣコードのブッシュ部が嵌合するＡＣコード用凹部を有するＡＣコード保持用スペーサを有し、
該ＡＣコード保持用スペーサが、前記ＡＣコード用凹部に前記ＡＣコードのブッシュ部が嵌合されて保持された状態で、前記開口内に嵌合してある構成としたことを特徴とするＡＣアダプタ。
【請求項２】
請求項１に記載のＡＣアダプタにおいて、
前記開口は、インレットプラグに対応する大きさである構成としたことを特徴とするＡＣアダプタ。
【請求項３】
請求項１に記載のＡＣアダプタにおいて、
前記ＡＣコード保持用スペーサは、その両側に溝を有し、
該溝が、前記下側ハーフケースの側板部の第１の凹部の縁のレール部と上記上側ハーフケースの側板部の第２の凹部の縁のレール部とに嵌合した構成としたことを特徴とするＡＣアダプタ。
【請求項４】
請求項３に記載のＡＣアダプタにおいて、
前記ＡＣコード保持用スペーサは、更に、下方向に突き出した下方向突起部と上方向に突き出した上方向突起部とを有し、
該下方向突起部が前記下側ハーフケースの側板部の内側を係止し、且つ、該上方向突起部が前記上側ハーフケースの側板部の内側を係止した構成としたことを特徴とするＡＣアダプタ。
【請求項５】
請求項４に記載のＡＣアダプタにおいて、
前記第１の凹部と前記第２の凹部とは、異なる深さを有し、
前記下方向突起部と上方向突起部とは異なる長さを有し、
前記ＡＣコード保持用スペーサが上下逆の向きで取り付けられた場合には、長い方の突起部がハーフケースの面に当って、下側ハーフケースと上側ハーフケースとが正常に組み合わされない構成としたことを特徴とするＡＣアダプタ。
【発明の詳細な説明】
【技術分野】
【０００１】
本発明はポータブル機器用のＡＣアダプタに関する。
【背景技術】
【０００２】
図６は従来のＡＣコードタイプのＡＣアダプタ１を示す。このＡＣアダプタ１は、スイッチングレギュレータ回路が下側ハーフケース２と上側ハーフケース３とを組み合わせてなるケース４内に組み込んであり、ケース４の一側から、先端にＡＣプラグ１０を有するＡＣコード１１が延びており、ケース４の反対側から、先端にプラグ２０を有するＤＣコード２１が延びている構成である。ＡＣコード１１はその根元を補強しているブッシュ部１２が下側ハーフケース２と上側ハーフケース３との間に挟まれている。
【発明の開示】
【発明が解決しようとする課題】
【０００３】
ポータブル機器用のＡＣアダプタには、上記のＡＣコードタイプの他に、図７、図８（Ａ）、（Ｂ）に示すインレットプラグタイプのＡＣアダプタ３０がある。このインレットプラグタイプのＡＣアダプタ３０は、スイッチングレギュレータ回路とインレットプラグ４０とが下側ハーフケース３２と上側ハーフケース３３とを組み合わせてなるケース３４内に組み込んであり、端子４１、４２側の端面４５がケース３４の端の開口１００に露出している構成である。図８（Ａ）に示すように、下側ハーフケース３２の後述するレール部８２、８３等がインレットプラグ４０の両側の溝４３、４４に嵌合してあり、インレットプラグ４０はＹ１−Ｙ２方向に関して固定してある。ケース３４の外形寸法は前記のケース４の外形寸法と同じである。下側ハーフケース３２及び上側ハーフケース３３は同じ深さである。
【０００４】
下側ハーフケース２と下側ハーフケース３２は殆どの部分は同じであるけれども、ブッシュ部１２を保持する部分とインレットプラグ４０を保持する部分とが相違している。また、上側ハーフケース３と上側ハーフケース３３は殆どの部分は同じであるけれども、ブッシュ部１２を保持する部分とインレットプラグ４０を保持する部分とが相違している。
【０００５】
このため、ＡＣコードタイプのＡＣアダプタ１とインレットプラグタイプのＡＣアダプタ３０との両方を生産しているメーカでは、下側ハーフケース２の成形金型及び上側ハーフケース３の成形金型の他に、下側ハーフケース３２の成形金型及び上側ハーフケース３３の成形金型を用意する必要があり、新しい製品のＡＣアダプタを開発して生産する場合のスケジュールを短縮することが難しかった。
【０００６】
また、別のタイプのＡＣコードを使用する場合には、この別のタイプのＡＣコードに合わせて下側ハーフケースの成形金型及び上側ハーフケースの成形金型を製作する必要があり、別のタイプのＡＣコードへの迅速な対応が難しかった。
【０００７】
そこで、本発明は、上記課題を解決したＡＣアダプタを提供することを目的とする。
【課題を解決するための手段】
【０００８】
本発明は、下側ハーフケース（３２）と上側ハーフケース（３３）とを組み合わせてケース（３４）を構成するＡＣアダプタにおいて、
前記下側ハーフケース（３２）は、その側板部に第１の凹部（８１）を有する形状であり、
前記上側ハーフケース（３３）は、その側板部に第２の凹部（９１）を有する形状であり、
前記下側ハーフケースと前記上側ハーフケースとが組み合わされた状態で、前記第１の凹部と前記第２の凹部とが対向して開口（１００）を形成し、
外形が前記開口に対応した大きさであり、ＡＣコード（１１）のブッシュ部（１２）が嵌合するＡＣコード用凹部（６２）を有するＡＣコード保持用スペーサ（６０）を有し、
該ＡＣコード保持用スペーサ（６０）が、前記ＡＣコード用凹部（６２）に前記ＡＣコードのブッシュ部（１２）が嵌合されて保持された状態で、前記開口（１００）内に嵌合してある構成としたことを特徴とする。
【発明の効果】
【０００９】
本発明によれば、下側ハーフケース及び上側ハーフケースは設計変更しないで、小さい部品であるＡＣコード保持用スペーサの設計を変更するだけで、別のタイプのＡＣコードへの迅速な対応が可能となる。また、開口の大きさをインレットプラグに対応する大きさとすることにより、下側ハーフケース及び上側ハーフケースをＡＣコードタイプのＡＣアダプタにも流用可能となる。
【発明を実施するための最良の形態】
【００１０】
次に本発明の実施の形態について説明する。
【実施例１】
【００１１】
図１は発明の１実施例であるＡＣコードタイプのポータブル機器用のＡＣアダプタ５０を示す。図２はＡＣアダプタ５０のＡＣコード保持部を分解して示す。図３（Ａ）、（Ｂ）、（Ｃ）はＡＣアダプタ５０を断面して示す。各図中、図６乃至図８に示す構成部分と対応する構成部分には同じ符号を付す。Ｘ１−Ｘ２は幅方向、Ｙ１−Ｙ２は長手方向、Ｚ１−Ｚ２は高さ方向である。
【００１２】
ＡＣアダプタ５０は、本発明の要部をなすＡＣコード保持用スペーサ６０を有し、インレットプラグタイプのＡＣアダプタ３０に使用している下側ハーフケース３２と上側ハーフケース３３とを組み合わせてなるケース３４を有する構成である。また、ケース３４の一側から、先端にＡＣプラグ１０を有するＡＣコード１１が延びており、ケース３４の反対側から、先端にプラグ２０を有するＤＣコード２１が延びている。
【００１３】
［ＡＣコード１１の構成］
図２に示すように、ＡＣコード１１のブッシュ部１２は、二つの対向するフランジ部１３、１４を有し、フランジ部１３、１４の間は溝部１５となっている。
【００１４】
［ＡＣコード保持用スペーサ６０の形状］
ＡＣコード保持用スペーサ６０は、図２及び図４（Ａ）乃至（Ｆ）に示すように、合成樹脂の成形部品であり、外形がインレットプラグ４０の端面４５(図７参照)の四角形状と同じ四角形状である本体６１を有し、この本体６１に、ＡＣコード用凹部６２、溝６４、６５、上方向突起部６６、６７、及び下方向突起部６８、６９が形成してある構成である。本体６１は、Ｚ１側の端面６１Ｚ１、Ｚ２側の端面６１Ｚ２、Ｘ１側の端面６１Ｘ１、Ｘ２側の端面６１Ｘ２を有する。
【００１５】
ＡＣコード用凹部６２は、本体６１の端面６１Ｚ１よりＺ２方向に切り込んで形成してあり、ＡＣコード１１のブッシュ部１２のフランジ部１３、１４と溝部１５とに対応した形状寸法である。６３は本体６１のうち凹部６２に臨む縁部であり、Ｘ方向寸法がＺ方向寸法より長いＵ字状である。
【００１６】
溝６４は、本体６１の端面６１Ｘ１に全長に亘ってＺ１−Ｚ２に延在している。溝６５は、本体６１の端面６１Ｘ２に全長に亘ってＺ１−Ｚ２に延在している。
【００１７】
上方向突起部６６、６７は、端面６１Ｚ１の溝６４、６５の端の近くからＺ１方向に突き出ている。下方向突起部６８、６９がは、端面６１Ｚ２の溝６４、６５の端の近くからＺ２方向に突き出ている。上方向突起部６６、６７の突き出し寸法Ａは、下方向突起部６８、６９の突き出し寸法Ｂよりも長く、Ａ＞Ｂである。
【００１８】
また、本体６１のＹ１側の面には、Ｚ２側に、フランジ収容部７０が形成してある。
【００１９】
［下側ハーフケース３２及び上側ハーフケース３３の形状］
図２に示すように、下側ハーフケース３２は、Ｙ２側の側板８０にＵ字形状の第１の凹部８１を有する。また、第１の凹部８１のＸ１側とＸ２側とにレール部８２、８３が形成してある。レール部８２、８３は共にＺ１−Ｚ２に延在している。上側ハーフケース３３には、Ｙ２側の側板９０に逆Ｕ字形状の第２の凹部９１を有する。また、第２の凹部９１のＸ１側とＸ２側とにレール部９２、９３が形成してある。レール部９２、９３は共にＺ１−Ｚ２に延在している。第１の凹部８１の深さ寸法Ｃは、第２の凹部９１の深さ寸法Ｄよりも大きく、Ｃ＞Ｄである。下側ハーフケース３２と上側ハーフケース３３とが組み合わされると、図３（Ｃ）に示すように、第１の凹部８１と第２の凹部９１とが対向して、四角の開口１００を形成する。
【００２０】
図３（Ｂ）中、Ｅは第１の凹部８１の端から下側ハーフケース３２の底板部８４の内面８５までのＺ方向の寸法であり、Ｆは第２の凹部９１の端から上側ハーフケース３２の天板部９４の内面９５までのＺ方向である。下側ハーフケース３２及び上側ハーフケース３３は同じ深さであって、且つ、Ｃ＞Ｄであるため、寸法Ｅと寸法Ｆとは等しくはなく、Ｅ＜Ｆである。上方向突起部６６、６７の突き出し寸法Ａは寸法Ｆに対応した寸法であり、下方向突起部６８、６９の突き出し寸法Ｂは寸法Ｅに対応した寸法である。
【００２１】
［ＡＣコードの拘束状態］
次にＡＣアダプタ５０におけるＡＣコードの拘束状態について説明する。
【００２２】
［ＡＣコード１１とＡＣコード保持用スペーサ６０との関係］
図２に矢印１１０で示すように、ＡＣコード１１のブッシュ部１２の溝部１５の部分がＡＣコード保持用スペーサ６０のＡＣコード用凹部６２に丁度に嵌合され、同じく図２及び図３（Ａ）に示すように、フランジ部１３、１４がその三辺で縁部６３を挟んでいる。先端側のフランジ部１３はフランジ収容部７０内に収まっている。
【００２３】
これによって、ＡＣコード１１はＡＣコード保持用スペーサ６０に対してＹ１−Ｙ２方向の動きを拘束されている。
【００２４】
［ＡＣコード保持用スペーサ６０とケース３４との関係］
図２に示すように、ＡＣコード１１のブッシュ部１２を保持しているＡＣコード保持用スペーサ６０を、例えば、最初に下側ハーフケース３２の第１の凹部８１に嵌合させ、ＡＣコード保持用スペーサ６０のＺ２側の略半分が第１の凹部８１に収まった状態とし、次いで、上側ハーフケース３３をＺ１側から下側ハーフケース３２に組み合わせ、このときに、第２の凹部９１をＡＣコード保持用スペーサ６０のＺ１側の略半分に嵌合させるようにする。
【００２５】
これにより、以下のようになる。図３（Ｃ）に示すように、本体６１が開口１００内に丁度に収まり、開口１００を塞いでいる。図３（Ａ）及び（Ｃ）に示すように、溝６４のＺ２側半分にレール部８２が、溝６５のＺ２側半分にレール部８３が、溝６４のＺ１側半分にレール部９２が、溝６５のＺ１側半分にレール部９３が夫々嵌合している。図３（Ｂ）に示すように、下方向突起部６８、６９が側板８０のうち第１の凹部８１と底板部８４との間の部分の内側面を係止している。同じく、図３（Ｂ）に示すように、上方向突起部６６、６７が側板９０のうち第２の凹部９１と天板部９４との間の部分の内側面を係止している。
【００２６】
よって、ＡＣコード保持用スペーサ６０は、ケース３４に対してＹ１−Ｙ２方向の動きを拘束されている。特に、Ｙ２方向、即ち、ＡＣコード１１をケース３４に対して引っ張る方向については、上方向突起部６６、６７及び下方向突起部６８、６９もＡＣコード保持用スペーサ６０のケース３４に対する動きを拘束するように機能している。
【００２７】
これによって、ＡＣコード１１はケース３４に対してＹ１−Ｙ２方向の動きを拘束されている。特に、ＡＣコード１１をケース３４に対して引っ張る方向であるＹ１方向については、上下左右の四辺の全部について拘束され、ＡＣコード１１をケース３４内に押し込む方向に比べて、強く拘束されている。
【００２８】
また、側板９０のうち第２の凹部９１の奥側の縁の部分９１ａが、フランジ部１３のうちのＺ１側の部分とフランジ部１４のＺ１側の部分との間に嵌合して、ケース３４の一部がブッシュ部１２の一部を拘束している。
【００２９】
上記のように、ＡＣコード保持用スペーサ６０を使用することによって、インレットプラグタイプのＡＣアダプタの下側ハーフケース３２と上側ハーフケース３３とを使用して、ＡＣコード１１をケース３４に固定することが可能となる。また、設計変更に手間及び費用がかかる下側ハーフケース３２及び上側ハーフケース３３は設計変更しないで、サイズが小さくて設計変更が容易であるＡＣコード保持用スペーサを設計変更するだけで、別のタイプのＡＣコードへの迅速な対応が可能となる。
【００３０】
［ＡＣコード保持用スペーサ６０の誤った向きでの組み込み］
次に、ＡＣコード保持用スペーサ６０を誤ってＺ１−Ｚ２方向上逆の向きで組み込んだ場合について、図５（Ａ）、（Ｂ）を参照して説明する。
【００３１】
ＡＣコード保持用スペーサ６０を誤ってＺ１−Ｚ２方向上逆の向きで組み込むと、図５（Ａ）、（Ｂ）に示すように、突起部６６、６７が底板部８４の内面８５に当り、本体６１が第１の凹部８１内に完全に収まらずに、第１の凹部８１から若干浮いて、隙間１２０ができた状態となる。よって、上側ハーフケース３３を取り付けた場合に下側ハーフケース３２と当接しないで下側ハーフケース３２から若干浮いて、隙間１３０ができた状態となり、上側ハーフケース３３の下側ハーフケース３２への固定が出来なくなる。この時点でＡＣコード保持用スペーサ６０が逆向きであることが分かり、ＡＣコード保持用スペーサ６０が逆向きのままＡＣアダプタ５０の組み立てが完了してしまうことが防止される。
【図面の簡単な説明】
【００３２】
【図１】本発明の実施例１になるＡＣコードタイプのＡＣアダプタの斜視図である。
【図２】図１のＡＣアダプタのＡＣコード保持部を分解し拡大して示す斜視図である。
【図３】ＡＣアダプタを断面して示す図である。
【図４】ＡＣコード保持用スペーサを示す図である。
【図５】ＡＣコード保持用スペーサを逆の向きで組み込んだ場合の状態を示す図である
【図６】従来のＡＣコードタイプのＡＣアダプタの斜視図である。
【図７】従来のインレットプラグタイプのＡＣアダプタの斜視図である。
【図８】図７のインレットプラグタイプのＡＣアダプタを示す図である。。
【符号の説明】
【００３３】
３０  インレットプラグタイプのＡＣアダプタ
３２  下側ハーフケース
３３  上側ハーフケース
４０  インレットプラグ
５０  ＡＣコードタイプのＡＣアダプタ
６０  ＡＣコード保持用スペーサ
６１  本体
６２  ＡＣコード用凹部
６４、６５  溝
６６、６７  上方向突起部
６８、６９  下方向突起部
８１  第１の凹部
８２、８３  レール部
９１  第２の凹部
９２、９３  レール部
１００  開口
【図１】
2007012465.tif 000003
【図２】
2007012465.tif 000004
【図３】
2007012465.tif 000005
【図４】
2007012465.tif 000006
【図５】
2007012465.tif 000007
【図６】
2007012465.tif 000008
【図７】
2007012465.tif 000009
【図８】
2007012465.tif 000010